(57)【要約】【課題】製品の出所を明確とすることにより、真正商品と模倣品とが混同されることが防止される部材の嵌合構造を提供する。【解決手段】部品または本体からなる部材１、２の組を嵌合状態および嵌合解除状態とする部材の嵌合構造において、前記部材１、２の組の一方にロゴマークからなる凸部２ａを形成し、前記部材の組の他方に前記ロゴマークからなる凹部１ｂを形成し、嵌合状態において、前記凸部２ａと凹部１ｂとを嵌合させる。【選択図】図１
2009009875.tif 000002
【特許請求の範囲】
【請求項１】
部品または本体からなり、夫々電極を有する部材の組を嵌合状態および嵌合解除状態とする部材の嵌合構造において、前記部材の組の一方にロゴマークからなる凸部を形成し、前記部材の組の他方に前記ロゴマークからなる凹部を形成し、嵌合状態において、前記凸部と凹部とが嵌合して位置決めされ、前記電極同士が圧接されて電気的に接続されることを特徴とする部材の嵌合構造。
【請求項２】
部品または本体からなる部材の組を嵌合状態および嵌合解除状態とする部材の嵌合構造において、前記部材の組の一方にロゴマークからなる凸部を形成し、前記部材の組の他方に前記ロゴマークからなる凹部を形成し、嵌合状態において、前記凸部と凹部とが嵌合し、前記凸部および凹部が少なくとも２個の分離された部分を含み、分離された凸部および凹部の少なくとも２組に夫々電極を形成し、嵌合状態において、前記電極を介して嵌合する部材同士が電気的に接続される部材の嵌合構造。
【請求項３】
前記部材の組がバッテリケースおよび充電器である請求項１または２の部材の嵌合構造。
【請求項４】
前記部材の組がバッテリおよびそのバッテリを用いる本体である請求項１または２の部材の嵌合構造。
【発明の詳細な説明】
【技術分野】
【０００１】
この発明は部材の嵌合構造に係わり、特に、バッテリおよび充電器に好適な嵌合構造に関する。
【背景技術】
【０００２】
従来のバッテリおよび充電器の嵌合構造の例を図４により説明する。図４に示す充電器ケース１０に設けられた凹部にバッテリを内蔵したバッテリケース１２が嵌合される。この嵌合状態において、バッテリケース１２に付設された充電用端子１２ａに充電器の板ばねで作られた充電用端子１１が圧接してバッテリの充電が行われる。
【０００３】
特開２００１−１５５７８５号公報に提案された充電装置は、バッテリケース２０を充電台１０に装着した充電状態でバッテリケース２０を外れにくくするために、バッテリケース２０と充電台１０との夫々に設けた溝部および凸部を嵌合させ、この溝部および凸部の近傍が低くなるように段差を形成している。
【特許文献１】特開２００１−１５５７８５号公報、段落０００２〜段落００１５、図３
【発明の開示】
【発明が解決しようとする課題】
【０００４】
上記した図４または特開２００１−１５５７８５号公報に開示されたバッテリおよび充電器の嵌合構造では、バッテリまたは充電器を完全に模倣した粗悪品の流通を防止できないという問題があった。
【０００５】
この発明は上記した点に鑑みてなされたものであって、その目的とするところは、製品の出所を明確とすることにより、真正商品と模倣品とが混同されることが防止される部材の嵌合構造を提供することにある。
【課題を解決するための手段】
【０００６】
この発明の部材の嵌合構造は、部品または本体からなり、夫々電極を有する部材の組を嵌合状態および嵌合解除状態とする部材の嵌合構造において、前記部材の組の一方にロゴマークからなる凸部を形成し、前記部材の組の他方に前記ロゴマークからなる凹部を形成し、嵌合状態において、前記凸部と凹部とが嵌合して位置決めされ、前記電極同士が圧接されて電気的に接続されるものである。
【０００７】
また、この発明の部材の嵌合構造は、部品または本体からなる部材の組を嵌合状態および嵌合解除状態とする部材の嵌合構造において、前記部材の組の一方にロゴマークからなる凸部を形成し、前記部材の組の他方に前記ロゴマークからなる凹部を形成し、嵌合状態において、前記凸部と凹部とが嵌合し、前記凸部および凹部が少なくとも２個の分離された部分を含み、分離された凸部および凹部の少なくとも２組に夫々電極を形成し、嵌合状態において、前記電極を介して嵌合する部材同士が電気的に接続されるものである。
【０００８】
また、前記各部材の嵌合構造において、前記部材の組をバッテリおよび充電器としたものである。
【０００９】
また、同各部材の嵌合構造において、前記部材の組をバッテリおよびそのバッテリを用いる本体としたものである。
【発明の効果】
【００１０】
この発明の嵌合構造によれば、ロゴマークが形成されていない模倣品は使用不可能となるので、真正商品と模倣品とが混同されることが防止される。
【発明を実施するための最良の形態】
【００１１】
以下この発明を実施するための最良の形態を実施例に即して説明する。
【実施例１】
【００１２】
図１はこの発明の実施例１であるバッテリおよび充電器を示す部分斜視図である。図１に示すバッテリケース１にはその側面に充電用端子１ａ、１ａ…が設けられており、充電用端子１ａ、１ａ…はバッテリケース１に収容されたバッテリの充電回路に接続されている。
【００１３】  バッテリケース１の底面には『（公序良俗違反につき、不掲載）』と表示されたロゴマークからなる凹部１ｂが形成されている。なお『（公序良俗違反につき、不掲載）』のロゴマークは凹形状となっているが図１では簡略化して図示している。【００１４】  充電器ケース２の凹部の底面には『（公序良俗違反につき、不掲載）』と表示されたロゴマークからなる凸部２ａが形成されている。充電器ケース２の凹部の側面に形成された開口部２ｂ、２ｂ…からは板ばねで作られた充電用端子３、３…が突出している。【００１５】  バッテリケース１を矢印で示すように充電器ケース２の凹部に挿入すると『（公序良俗違反につき、不掲載）』と表示されたロゴマークからなる凹部１ｂと『（公序良俗違反につき、不掲載）』と表示されたロゴマークからなる凸部２ａとが嵌合して位置決めされると共に、充電用端子３、３…が充電用端子１ａ、１ａ…に圧接して充電状態となる。【００１６】  このように、充電器のケースに『（公序良俗違反につき、不掲載）』と表示されたロゴマークからなる凸部２ａを形成しないと、バッテリケース１が充電器ケース２に位置決めされないので、真正商品と模倣品とが混同されることが防止される。
【実施例２】
【００１７】
図２はこの発明の実施例２であるバッテリおよび充電器を示す部分断面図、図３は同バッテリおよび充電器を示す部分斜視図である。図２に示すバッテリケース４に固定された基板５には図３に詳しく示すように導体パターン５ａ、５ａが付設されている。導体パターン５ａ、５ａはバッテリケース４内のバッテリに接続されている。
【００１８】  バッテリケース４には矢印で示すように『（公序良俗違反につき、不掲載）』と表示されたロゴマークからなる凹部４ａ、４ａ…が形成されている。特に両端の凹部４ａ、４ａは穴となるように貫通している。そして、この穴から導体パターン５ａ、５ａが露出している。【００１９】
図２に示す充電器ケース６に固定された基板７には図３にも示す導体パターン７ａ、７ａが付設されている。導体パターン７ａ、７ａは充電器ケース６内の充電回路に接続されている。導体パターン７ａ、７ａにはロゴマークで形成された導体６ｂ、６ｂがハンダ付けされている。さらに、樹脂製の充電器ケース６にはロゴマークで形成された凸部６ａ、６ａ…が一体に形成されている。
【００２０】  導体６ｂ、６ｂおよび凸部６ａ、６ａ…は図２の矢印で示すように、『（公序良俗違反につき、不掲載）』と表示されたロゴマークを形成し、その中の導体６ｂ、６ｂはＫおよびＤの文字形状となっている。【００２１】  バッテリケース４を充電器ケース６の凹部に挿入すると『（公序良俗違反につき、不掲載）』と表示されたロゴマークからなる凹部４ａ、４ａ…と『（公序良俗違反につき、不掲載）』と表示されたロゴマークからなる導体６ｂ、６ｂおよび凸部６ａ、６ａ…とが嵌合して位置決めされると共に、導体６ｂ、６ｂが導体パターン充電用端子５ａ、５ａに圧接されて、電流が図３の矢印で示すように流れる充電状態となる。【００２２】  このように、充電器のケースに『（公序良俗違反につき、不掲載）』と表示されたロゴマークからなる導体６ｂ、６ｂおよび凸部６ａ、６ａ…を形成しないと、バッテリケース４が充電器ケース６に位置決めされず、また、バッテリが充電器に接続されないので、真正商品と模倣品とが混同されることが防止される。【００２３】
実施例は以上のように構成されているが発明はこれに限られず、例えば、実施例２を示す図２および図３における基板５を凸部６、６ｂに圧接される単体の導体として、バッテリケース４を充電器ケース６の凹部に挿入すると充電器ケース６の凸部６、６ｂ間で導通状態となるようにバッテリケース４にスイッチとしての作用を持たせ、充電用端子を別にバッテリケース４および充電器ケース６に設けてもよい。
【００２４】
また、バッテリとそのバッテリを用いる電子機器にこの発明を適用することも可能である。
【図面の簡単な説明】
【００２５】
【図１】この発明の実施例１であるバッテリおよび充電器を示す部分斜視図である。
【図２】この発明の実施例２であるバッテリおよび充電器を示す部分断面図である。
【図３】同バッテリおよび充電器を示す部分斜視図である。
【図４】従来のバッテリおよび充電器の例を示す部分断面図である。
【符号の説明】
【００２６】
１  バッテリケース、１ａ  充電用端子、１ｂ  ロゴマークで形成された凹部
２  充電器ケース、２ａ  ロゴマークで形成された凸部、２ｂ  開口部
３  充電用端子
４  バッテリケース、４ａ  ロゴマークで形成された凹部
５  基板、５ａ  導体パターン
６  充電器ケース、６ａ  ロゴマークを形成する凸部、６ｂ  ロゴマークを形成する導体
７  基板、７ａ  導体パターン
１０  充電器ケース
１１  充電用端子
１２  バッテリケース、１２ａ  充電用端子
【図１】
2009009875.tif 000003
【図２】
2009009875.tif 000004
【図３】
2009009875.tif 000005
【図４】
2009009875.tif 000006